(57)【要約】      （修正有）【課題】キャラクター付きハンガーにおいて、フックまたはハンガーブラケットに物を吊るすと、物の荷重によりキャラクターが変化するハンガーを提供する。【解決手段】キャラクターの図柄を稼動板１と本体板２に分け、稼動板には、キャラクターの顔などの図柄や必要に応じて目などのくり抜きを設け、本体板には、キャラクターの胴体などの図柄と稼動板が動いた時にキャラクターが変化する様に描いた図柄を設ける。稼動板の裏側に本体板の切り欠き７を貫通させて稼動板側ブラケット５を設け、稼動板側ブラケットに物を吊るすためのフック３またはハンガーブラケットを設け、本体板に吊り下げ具と切り欠きと本体板側ブラケット６を設け、稼動板側ブラケットと本体板側ブラケットとの間に弾性体を設ける。以上の構造により、フックまたはハンガーブラケットに吊るす物の荷重と弾性体の復元力を利用して、稼動板を動かすことにより、キャラクターが変化する。【選択図】図５
0003162529.tif 000002
【実用新案登録請求の範囲】
【請求項１】
キャラクターの図柄を稼動板と本体板に分け、稼動板には、キャラクターの顔などの図柄や必要に応じて目などのくり抜きを設け、本体板には、キャラクターの胴体などの図柄と稼動板が動いた時にキャラクターが変化する様に描いた図柄を設け、稼動板の裏側に本体板の切り欠きを貫通させて稼動板側ブラケットを設け、稼動板側ブラケットに物を吊るすためのフックまたはハンガーブラケットを設け、本体板に吊り下げ具と切り欠きと本体板側ブラケットを設け、稼動板側ブラケットと本体板側ブラケットとの間に弾性体を設けたことを特徴とするキャラクターが変化するハンガー。
【考案の詳細な説明】
【技術分野】
【０００１】  本考案は、物を吊るしたり洋服をかけたりする時に使用するフックやハンガー（以後ハンガーと記述）に動物などのキャラクターを取り付けて、デザインの価値を付加したハンガーおいて、キャラクターが変化するハンガーに関するものである。
【背景技術】
【０００２】  従来、ハンガーにおいて、動物などのキャラクターを取り付け、デザインの価値を付加したハンガーとして商品化されているものがある。なお、キャラクター入りのハンガーについての特許文献では、人気キャラクターや動物のぬいぐるみとハンガーとが兼用できるハンガー（特許文献１参照）やフック全体が動物的イメージを持たせた多機能形フック（特許文献２参照）が公開特許公報に掲載されている。
【先行技術文献】
【特許文献１】  特開平０７−２５５５８５
【特許文献２】  特開２００１−０４１２２２
【考案の概要】
【考案が解決しようとする課題】
【０００３】  従来のキャラクター付きハンガーは、物を吊り下げた時の荷重と弾性体の復元力を利用して、キャラクターを変化させるという付加価値の付いた構造のものではなかった。
本考案は、これらの欠点を解決する為になされたものである。
【課題を解決するための手段】
【０００４】  キャラクターの図柄を稼動板と本体板に分け、稼動板には、キャラクターの顔などの図柄や必要に応じて目などのくり抜きを設け、本体板には、キャラクターの胴体などの図柄と稼動板が動いた時にキャラクターが変化する様に描いた図柄を設ける。稼動板の裏側に本体板の切り欠きを貫通させて稼動板側ブラケットを設け、稼動板側ブラケットに物を吊るすためのフックまたはハンガーブラケットを設け、本体板に吊り下げ具と切り欠きと本体板側ブラケットを設け、稼動板側ブラケットと本体板側ブラケットとの間に弾性体を設ける。
本考案は、以上の構成により、フックまたはハンガーブラケットに吊り下げる物の荷重と弾性体の復元力を利用して、稼動板を動かすことにより、キャラクターが変化することを特徴とするハンガーである。
【考案の効果】
【０００５】  従来のキャラクター付きのハンガーに対して、物を吊り下げた時の荷重を利用して、キャラクターを変化させるという付加価値を付けることが出来る。
【考案を実施するための最良の形態】
【０００６】  以下に本考案の実施形態を説明する。
（イ）キャラクターを稼動板（１）と本体板（２）に分ける。稼動板（１）には、キャラ    クターの顔などの図柄や必要に応じて目などのくり抜き（８）を設け、本体板（２）    には、キャラクターの胴体などの図柄と稼動板（１）が動いた時にキャラクターが変    化する様に描いた図柄を設ける。
（ロ）本体板（２）に吊り下げ具（９）と切り欠き（７）本体板側ブラケット（６）を設    ける。
（ハ）稼動板（１）に稼動板側ブラケット（５）を設け、稼動板側ブラケット（５）を切    り欠き（７）にはめ込み、本体板（２）を貫通させてから稼動板側ブラケット（５）    にフック（３）を設ける。
（ニ）稼動板（１）と本体板（２）の間に稼動板側ブラケット（５）と本体板側ブラケッ    ト（６）を介して弾性体（４）を設ける。
本考案は以上のような構造で、その実施形態は、次の通りである。
フック（３）に物（１０）を吊り下げるとその荷重により、稼動板（１）と本体板（２）の間に稼動板側ブラケット（５）と本体板側ブラケット（６）を介して設けられた弾性体（４）が変形して稼動板（１）が下方に移動する。稼動板（１）には、キャラクターの顔などの図柄や必要に応じて目などのくり抜き（８）が設けられており、本体板（２）に描かれた、稼動板（１）が動いた時にキャラクターが変化する図柄との相対的な組み合わせによってキャラクターが変化する。
また、フック（３）に吊り下げている物（１０）を外すと、フック（３）に掛かる荷重がなくなり、弾性体（４）の復元力によって、稼動板（１）が元の位置に戻るため、変化したキャラクターは元のキャラクターに戻る。
なお、本考案は、フック（３）を洋服を掛けるハンガーブラケット（１１）にすることによりキャラクターが変化する洋服ハンガーとして利用することが出来る。
【図面の簡単な説明】
【０００７】
【図１】本考案の実施形態を説明するためのキャラクターの実施例で、物を吊るしていない時の状態を示す正面図
【図２】本考案の実施形態を説明するためのキャラクターの実施例で、物を吊るした時のキャラクターの変化を示す正面図
【図３】弾性体にコイルスプリングを使用した実施例で、物を吊るしていない時の状態を示す背面図
【図４】弾性体にコイルスプリングを使用した実施例で、物を吊るしていない時の状態を示す側面図
【図５】弾性体にピアノ線を使用した実施例で、物を吊るしていない時の状態を示す背面図
【図６】弾性体にピアノ線を使用した実施例で、物を吊るした時の構造の変化を示す背面図
【図７】フックを洋服を掛けるハンガーブラケットにした実施例で、物を吊るしていない時の状態を示す背面図
【符号の説明】
【０００８】（１）稼動板  （２）本体板  （３）フック  （４）弾性体
（５）稼動板側ブラケット  （６）本体板側ブラケット  （７）切り欠き
（８）くり抜き  （９）吊り下げ具  （１０）物  （１１）ハンガーブラケット
【図１】
0003162529.tif 000003
【図２】
0003162529.tif 000004
【図３】
0003162529.tif 000005
【図４】
0003162529.tif 000006
【図５】
0003162529.tif 000007
【図６】
0003162529.tif 000008
【図７】
0003162529.tif 000009
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
キャラクターの図柄を稼動板と本体板に分け、稼動板には、キャラクターの顔の図柄や目のくり抜きを設け、本体板には、キャラクターの胴体の図柄と稼動板が動いた時にキャラクターが変化する様に描いた図柄を設け、稼動板の裏側に本体板の切り欠きを貫通させて稼動板側ブラケットを設け、稼動板側ブラケットに物を吊るすためのフックまたはハンガーブラケットを設け、本体板に吊り下げ具と切り欠きと本体板側ブラケットを設け、稼動板側ブラケットと本体板側ブラケットとの間に弾性体を設けたことを特徴とするキャラクターが変化するハンガー。
【手続補正２】
【補正対象書類名】明細書
【補正対象項目名】０００４
【補正方法】変更
【補正の内容】
【０００４】  キャラクターの図柄を稼動板と本体板に分け、稼動板には、キャラクターの顔の図柄や目のくり抜きを設け、本体板には、キャラクターの胴体の図柄と稼動板が動いた時にキャラクターが変化する様に描いた図柄を設ける。稼動板の裏側に本体板の切り欠きを貫通させて稼動板側ブラケットを設け、稼動板側ブラケットに物を吊るすためのフックまたはハンガーブラケットを設け、本体板に吊り下げ具と切り欠きと本体板側ブラケットを設け、稼動板側ブラケットと本体板側ブラケットとの間に弾性体を設ける。
本考案は、以上の構成により、フックまたはハンガーブラケットに吊り下げる物の荷重と弾性体の復元力を利用して、稼動板を動かすことにより、キャラクターが変化することを特徴とするハンガーである。
【手続補正３】
【補正対象書類名】明細書
【補正対象項目名】０００６
【補正方法】変更
【補正の内容】
【０００６】    以下に本考案の実施形態を説明する。
（イ）キャラクターを稼動板（１）と本体板（２）に分ける。稼動板（１）には、キャラクターの顔の図柄や目のくり抜き（８）を設け、本体板（２）には、キャラクターの胴体の図柄と稼動板（１）が動いた時にキャラクターが変化する様に描いた図柄を設ける。
（ロ）本体板（２）に吊り下げ具（９）と切り欠き（７）本体板側ブラケット（６）を設ける。
（ハ）稼動板（１）に稼動板側ブラケット（５）を設け、稼動板側ブラケット（５）を切り欠き（７）にはめ込み、本体板（２）を貫通させてから稼動板側ブラケット（５）にフック（３）を設ける。
（ニ）稼動板（１）と本体板（２）の間に稼動板側ブラケット（５）と本体板側ブラケット（６）を介して弾性体（４）を設ける。
本考案は以上のような構造で、その実施形態は、次の通りである。
フック（３）に物（１０）を吊り下げるとその荷重により、稼動板（１）と本体板（２）の間に稼動板側ブラケット（５）と本体板側ブラケット（６）を介して設けられた弾性体（４）が変形して稼動板（１）が下方に移動する。稼動板（１）には、キャラクターの顔の図柄や目のくり抜き（８）が設けられており、本体板（２）に描かれた、稼動板（１）が動いた時にキャラクターが変化する図柄との相対的な組み合わせによってキャラクターが変化する。
また、フック（３）に吊り下げている物（１０）を外すと、フック（３）に掛かる荷重がなくなり、弾性体（４）の復元力によって、稼動板（１）が元の位置に戻るため、変化したキャラクターは元のキャラクターに戻る。
なお、本考案は、フック（３）を洋服を掛けるハンガーブラケット（１１）にすることによりキャラクターが変化する洋服ハンガーとして利用することが出来る。